(57)【要約】【課題】とうもろこしからコーン粒を簡単に分離することができ、焼きとうもろこしや蒸しとうもろこしを食べるときにコーン粒だけを簡単に食することができるようにする。【解決手段】とうもろこしからコーン粒を分離する際に使用するスクレーパ１０であって、両端を自由端として板状の部材１２が縮径方向に付勢されるとともに、常時は両端部が重複する円筒状に巻回され、円筒状に巻回された板状の部材１２の少なくとも一方の開口部１４が、側面形状で円筒の軸線方向に対して斜めに切り落とされた形状に設けられていることを特徴とする。【選択図】          図１
2004275244.tif 000002
【特許請求の範囲】
【請求項１】
とうもろこしからコーン粒を分離する際に使用するスクレーパであって、
両端を自由端として板状の部材が縮径方向に付勢されるとともに、常時は両端部が重複する円筒状に巻回され、
円筒状に巻回された板状の部材の少なくとも一方の開口部が、側面形状で円筒の軸線方向に対して斜めに切り落とされた形状に設けられていることを特徴とするスクレーパ。
【請求項２】
前記開口部の周縁部が、側面形状で直線状に形成されていることを特徴とする請求項１記載のスクレーパ。
【請求項３】
前記開口部の板材の縁部に、コーン粒をカットするための刃が設けられていることを特徴とする請求項１または２記載のスクレーパ。
【請求項４】
前記刃が、開口部の略半周にわたって設けられていることを特徴とする請求項３記載のスクレーパ。
【発明の詳細な説明】
【０００１】
【発明の属する技術分野】
本発明はスクレーパに関し、より詳細にはとうもろこしの芯からコーン粒を分離する操作を簡単に行うことができるスクレーパに関する。
【０００２】
【従来の技術】
とうもろこしを調理するもっとも簡単な方法は、収穫したとうもろこしの皮をむいて焼くか、蒸して食する方法である。焼きとうもろこし、あるいは蒸しとうもろこしは、とうもろこしを手に持って、コーン粒を食するのであるが、とうもろこしをじかに口にあててコーン粒を食べると、口のまわりが汚れてしまったり、コーン粒がとうもろこしの芯（穂軸）に残ってしまったりすることから、コーン粒にじかに口をあてて食べるかわりに、とうもろこしの芯からコーン粒を指で外し落とすようにして食べることも行われる。
【０００３】
【発明が解決しようとする課題】
焼きとうもろこし、蒸しとうもろこしを食する際に、コーン粒をとうもろこしの芯から外し落とすようにすることで、食べやすくなり、口を汚したりせずに食することができるのであるが、とうもろこしの芯からコーン粒をいちいち指で取り外すようにすることは煩雑であるし、指の力のない子供などでは、とうもろこしの芯から上手にコーン粒を外すことが難しい。
【０００４】
とうもろこしは焼きとうもろこしあるいは蒸しとうもろこしとして、そのまま食する他に、用途の広い食材であり、焼いたり蒸したりした状態、あるいは生の状態で冷凍等により保存しておくことによって、種々の料理に利用することができる。
このような場合には、芯にコーン粒がついたままで保存するとかさばるから、コーン粒だけを保存するようにすることが効率的である。しかしながら、コーン粒だけを保存しようとする場合に、とうもろこしの芯からコーン粒を一つずつ外して取ることは煩雑である。また、ナイフのようなものでコーン粒を削り落とすようにすると、コーン粒が根元部分から分離されずコーン粒が形崩れしてしまうといった問題がある。
【０００５】
そこで、本発明はこれらの課題を解決すべくなされたものであり、その目的とするところは、とうもろこしの芯から簡単にコーン粒を分離することができ、これによって焼きとうもろこしや蒸しとうもろこしを食する際に、手や口を汚さずにコーン粒だけを簡単に食することができ、また、コーン粒を保存するといった場合にもとうもろこしの芯からコーン粒を分離するといった作業にも好適に使用することができるスクレーパを提供するにある。
【０００６】
【課題を解決するための手段】
上記課題を解決するため、本発明は次の構成を備える。
すなわち、とうもろこしからコーン粒を分離する際に使用するスクレーパであって、両端を自由端として板状の部材が縮径方向に付勢されるとともに、常時は両端部が重複する円筒状に巻回され、円筒状に巻回された板状の部材の少なくとも一方の開口部が、側面形状で円筒の軸線方向に対して斜めに切り落とされた形状に設けられていることを特徴とする。
【０００７】
また、前記開口部の周縁部が、側面形状で直線状に形成されていることによってコーン粒を容易にとうもろこしの芯から分離させることができる。
また、前記開口部の板材の縁部にコーン粒をカットするための刃が設けられていることにより、さらに確実にコーン粒をカットして分離することができる。
また、前記刃が、開口部の略半周にわたって設けられていることによって、とうもろこしの芯から容易にコーン粒を分離することができる。
【０００８】
【発明の実施の形態】
以下、本発明の好適な実施の形態について添付図面と共に詳細に説明する。
図１（ａ）、（ｂ）、（ｃ）は本発明に係るスクレーパの第１の実施形態の構成を示す側面図、正面図、斜視図である。本実施形態のスクレーパ１０は、弾性を有する板状の部材１２を円筒状に巻回し、円筒状に巻回した板状の部材１２の一端側を円筒部の軸線方向に対して斜めに切り落とした形状に形成したものである。図１（ａ）の側面図は、スクレーパ１０の上部が剣先状に斜めにカットされた形態を示している。
【０００９】
スクレーパ１０は板状の部材１２の両端を自由端として円筒状に巻回してなるものであり、通常時においては、板状の部材１２の両端部が重なり合うようにする。スクレーパ１０が通常時に円筒状の形態となるのは、板状の部材１２自体に、円筒状にまるくなるような弾性があらかじめ付与されているためである。いいかえれば、板状の部材１２は縮径する方向に常時付勢されて設けられている。
【００１０】
板状の部材１２の両端を自由端として、板状の部材１２の両端部を重なり合うようにしているのは、とうもろこしの太さが異なる場合に、とうもろこしに合わせてスクレーパ１０を拡縮径して使用できるようにするためである。板状の部材１２の両端部の重なり合いの程度は、最も太いとうもろこしについて使用する場合でも、とうもろこしの芯部分でスクレーパ１０が一周して、スクレーパ１０の両端が僅かであっても重なり合う程度にするのがよい。スクレーパ１０は、とうもろこしの芯のまわりで回すように操作するから、板状の部材１２が一周するようにすることで、スクレーパ１０を回しやすくすることができる。
【００１１】
スクレーパ１０を使用する際には、スクレーパ１０の斜めにカットされた開口部１４を進入先側とする。スクレーパ１０の開口部１４を斜めにカットしているのは、スクレーパ１０を回転させながらとうもろこしの芯とコーン粒との間に進入させた際にコーン粒をとうもろこしの芯からカットして分離できるようにするためである。すなわち、スクレーパ１０の開口部１４の縁部分はコーン粒をとうもろこしの芯から切り落とす際に、刃として作用する。
板状の部材１２の厚さががある程度薄く、所定の強度を有している場合は、スクレーパ１０の開口部１４が斜めにカットされていることで、板状の部材１２にとくに刃を設けなくてもスクレーパ１０を回すだけでコーン粒をカットすることができる。
【００１２】
なお、図１に示す実施形態では、コーン粒をカットしやすくするため、開口部１４の周縁部に刃１６を設けている。刃１６は、開口部１４の全周あるいは板状の部材１２で斜めに切り落とされている縁部の全長に設けてもよいが、本実施形態では、図１（ｂ）に示すように、開口部１４の略半周部分（図のＡ部分）に刃１６を設けて、残りの半周部分（図のＢ部分）には刃１６を設けない構成としている。スクレーパ１０はとうもろこしに対して回転させるようにして使用するから、開口部１４の半周部分に刃１６が設けられていれば十分だからである。図１に示すスクレーパ１０は右回し用であるから図のＡ部分に刃１６を設けているが、左回し用の場合は図のＢ部分に刃１６を設ければよい。
【００１３】
図２は、上記実施形態のスクレーパ１０の使用方法を示す説明図である。スクレーパ１０はとうもろこしの芯とコーン粒２０との間にスクレーパ１０の剣先側を差し込み、スクレーパ１０を回転させて徐々に押し込むように使用する。
図２はとうもろこしの芯の中途までスクレーパ１０を回しながら差し込んでいった状態を示す。スクレーパ１０を回すことにより、スクレーパ１０の開口部１４に設けられた刃１６によってコーン粒２０がカットされて分離される。
【００１４】
スクレーパ１０は縮径方向に付勢して設けられているから、とうもろこしの芯に添わせるようにスクレーパ１０を差し込むことにより、スクレーパ１０はとうもろこしの芯の外周面によってガイドされて回転し、コーン粒２０は根元部分でカットされる。すなわち、スクレーパ１０を回転させながら、とうもろこしの芯の外周面上でスクレーパ１０を回しながら進めるようにしていくことによって、コーン粒２０がとうもろこしの芯から徐々にカットされて分離される。
【００１５】
このように、本実施形態のスクレーパ１０によれば、スクレーパ１０をとうもろこしの芯に添わせるようにして回す操作をするだけで、簡単にコーン粒２０をとうもろこしの芯から分離することができる。スクレーパ１０は単純な構成をしているから取り扱いが容易であり、だれでも簡単にコーン粒２０だけを分離することができる。コーン粒２０はスクレーパ１０によって徐々にカットされて分離されるから、とうもろこしから分離したコーン粒２０が形崩れしたりしないという利点がある。
【００１６】
本実施形態のスクレーパ１０は、焼きとうもろこし、蒸しとうもろこしを食べるときに、コーン粒だけを簡単にとることができるから、口をよごしたりせずにとうもろこしを簡単に食べることができる。また、とうもろこしの太さの大小に限らず使用することができる。なお、焼きとうもろこしや蒸しとうもろこしの他に、皮をむいて生の状態のとうもろこしからコーン粒だけをとる場合にも同様に利用することができる。
【００１７】
図３は、スクレーパ１０の他の実施形態を示す。本実施形態のスクレーパ１０は円筒状に巻回した板状の部材１２の外周面に突起１２ａを設けたことを特徴とする。突起１２ａはスクレーパ１０を回しながらコーン粒をとうもろこしの芯から分離する際に、突起１２ａがひっかかりとなってスクレーパ１０を回しやすくするために設けたものである。本実施形態のスクレーパ１０は、板状の部材１２の外面に突起１２ａを設けた他は、図１に示すスクレーパ１０と同一の構成からなる。
【００１８】
図４は、図３に示すスクレーパ１０を用いて、とうもころこしの芯からコーン粒２０を取り外している状態を示す。スクレーパ１０の外面に突起１２ａを設けたことにより、スクレーパ１０を回す操作を確実に行うことができる。なお、スクレーパ１０を回しやすくする方法としては、本実施形態のように突起１２ａを設ける他に、滑り止め用の溝を設けたり、板状の部材１２の外面を粗面にしたりするといった方法が可能である。
【００１９】
なお、上述した各実施形態のスクレーパ１０は、縮径方向に付勢された弾性を有する板状の部材１２によって円筒状に巻回して形成されているから、とうもろこしが太かったり、細かったりした場合でも、とうもろこしの太さに応じて自然にスクレーパ１０がとうもろこしの芯に巻き付けられ、どんな太さのとうもろこしにも使用することができる。また、とうもろこしは、その太さが先端側で細く、基部側で太くなっていたりするが、スクレーパ１０は芯の太さに応じて拡縮径するから、このような場合にも的確にコーン粒を分離することができる。
【００２０】
スクレーパ１０を形成する板状の部材１２は、上述したように所定の弾性を有すること、コーン粒２０をカットするに十分な強度を備えているものであれば、材質等はとくに限定されるものではない。板状の部材１２としては、たとえばステンレス材、所定の強度を備えた合成樹脂材等が使用できる。
【００２１】
また、上記実施形態においては板状の部材１２を円筒状に巻回し、その一端側を斜め切り落とした形態としているが、開口部１４の傾斜角度（側面方向から見た場合の円筒の軸線方向となす角度）は適宜選択可能である。また、開口部１４の縁部の形状は側面方向から見て直線状に形成する場合に限らず、波形に形成するといったことも可能である。また、場合によっては、板状の部材１２を円筒状に巻回した状態で一端側と他端側の双方を斜めに切り落とした形状として、スクレーパ１０の両側を利用できるようにすることも可能である。
また、本発明に係るスクレーパはとうもろこしからコーン粒を分離する際に好適に使用することができるが、とうもろこし以外の作物について利用することも可能である。
【００２２】
【発明の効果】
本発明に係るスクレーパは、上述したように、とうもろこしからコーン粒を簡単に分離することができ、焼きとうもろこしや蒸しとうもろこしを食べるときにコーン粒だけを簡単に食することができる。また、コーン粒の形を崩さずにとうもろこしからコーン粒を容易に分離することができ、コーン粒だけを保存して食材等として利用するといった場合に好適に利用することができる。
【図面の簡単な説明】
【図１】本発明に係るスクレーパの一実施形態の構成を示す側面図（ａ）、正面図（ｂ）、斜視図（ｃ）である。
【図２】図１に示すスクレーパの使用方法を示す説明図である。
【図３】本発明に係るスクレーパの他の実施形態の構成を示す側面図（ａ）、正面図（ｂ）、斜視図（ｃ）である。
【図４】図３に示すスクレーパの使用方法を示す説明図である。
【符号の説明】
１０  スクレーパ
１２  板状の部材
１２ａ  突起
１４  開口部
１６  刃
２０  コーン粒
【図１】
2004275244.tif 000003
【図２】
2004275244.tif 000004
【図３】
2004275244.tif 000005
【図４】
2004275244.tif 000006